(57)【特許請求の範囲】
【請求項１】
フレーム本体と、前記フレーム本体の略中央領域内に配設された半導体素子搭載用のダイパッド部と、先端部で前記ダイパッド部を支持し、他端部でフレーム枠と接続した吊りリード部と、少なくとも先端部が前記ダイパッド部に向かって延在し、他端部が前記フレーム枠と接続したリード部と、前記リード部の前記フレーム枠と接続した領域近傍に設けられた切断部とよりなるリードフレームを用意する工程と、前記用意したリードフレームの前記ダイパッド部上に半導体素子を搭載する工程と、前記ダイパッド部上に搭載した前記半導体素子の主面上の電極パッドと、前記リードフレームのリード部の各上面とを金属細線により接続する工程と、前記リードフレームの上面側として前記半導体素子、ダイパッド部、金属細線、および前記リード部の底面と前記リード部のフレーム枠と接続した領域近傍に設けられた切断部を除く領域を封止樹脂により樹脂封止する工程と、前記封止樹脂で封止された封止領域の外周に沿った前記リードの切断部上面に対してブレードによる第１の切削を行い、前記切断部をフル切断して樹脂封止型半導体装置を分離し、さらに前記第１の切削の経路に対して逆方向にブレードにより第２の切削を行い、前記切断部を往復切削して前記切断部の端面に発生したカエリ部を除去する工程とよりなることを特徴とする樹脂封止型半導体装置の製造方法。
【請求項２】
半導体素子の主面上の電極パッドと、リードフレームのリード部の各上面とを金属細線により接続する工程と、封止樹脂により樹脂封止する工程との間に、前記リードフレームの裏面側の少なくともリード部の各底面に封止シートを密着させる工程が設けられていることを特徴とする請求項１に記載の樹脂封止型半導体装置の製造方法。
【請求項３】
封止樹脂で封止された封止領域の外周に沿ったリードの切断部上面に対してブレードによる第１の切削を行い、切断部をフル切断し、さらに前記第１の切削の経路に対して逆方向にブレードにより第２の切削を行い、前記切断部を往復切削して前記切断部の端面に発生したカエリ部を除去する工程は、前記第１の切削の経路に対して順方向にブレードにより第２の切削を行い、前記切断部の端面に発生したカエリ部を除去する工程であることを特徴とする請求項１または請求項２に記載の樹脂封止型半導体装置の製造方法。
【発明の詳細な説明】
【０００１】
【発明の属する技術分野】
本発明は、ＱＦＮ（Ｑｕａｄ  Ｆｌａｔ  Ｎｏｎ−ｌｅａｄｅｄ  Ｐａｃｋａｇｅ）と称される外部端子となるリード部が片面封止された小型／薄型の樹脂封止型半導体装置の製造方法に関するものであり、特に生産効率を向上させるとともに、リード部の信頼性を向上させた樹脂封止型半導体装置を実現するための製造方法に関するものである。
【０００２】
【従来の技術】
近年、電子機器の小型化に対応するために、樹脂封止型半導体装置などの半導体部品の高密度実装が要求され、それにともなって、半導体部品の小型、薄型化が進んでいる。また小型で薄型でありながら、多ピン化が進み、高密度の小型、薄型の樹脂封止型半導体装置が要望されている。
【０００３】
以下、従来のＱＦＮ型の樹脂封止型半導体装置に使用するリードフレームについて説明する。
【０００４】
図１８は、従来のリードフレームの構成を示す図であり、図１８（ａ）は平面図であり、図１８（ｂ）は図１８（ａ）のＡ−Ａ１箇所の断面図である。
【０００５】
図１８に示すように、従来のリードフレームは、フレーム枠１０１と、そのフレーム枠１０１内に、半導体素子が載置される矩形状のダイパッド部１０２と、ダイパッド部１０２の角部をその先端部で支持し、端部がフレーム枠１０１と接続した吊りリード部１０３と、半導体素子を載置した場合、その載置した半導体素子と金属細線等の接続手段により電気的に接続するビーム状のリード部１０４とより構成されている。そしてリード部１０４は、封止樹脂で封止された際、封止樹脂部に埋設される部分はインナーリード部１０４ａを構成し、封止樹脂部より露出する部分はアウターリード部１０４ｂを構成するものであり、インナーリード部１０４ａとアウターリード部１０４ｂとは、一体で連続して設けられている。図１８において、破線で示した領域は、半導体素子を搭載して樹脂封止型半導体装置を構成する場合、封止樹脂で封止する領域を示しており、また一点鎖線で示した部分は、半導体素子を搭載して樹脂封止し、樹脂封止型半導体装置を構成した後、リード部１０４（アウターリード部１０４ｂ）を金型で切断する部分を示している。
【０００６】
また、従来のリードフレームは、図１８（ｂ）に示すように、ダイパッド部１０２は吊りリード部１０３によって支持されているが、その吊りリード部１０３に設けたディプレス部によってダイパッド部１０２がリード部１０４上面に対して上方に配置されるよう、アップセットされているものである。
【０００７】
次に従来の樹脂封止型半導体装置について説明する。図１９は、図１８に示したリードフレームを用いた樹脂封止型半導体装置を示す図であり、図１９（ａ）は、内部構成を破線で示した透視平面図であり、図１９（ｂ）は図１９（ａ）のＢ−Ｂ１箇所の断面図である。
【０００８】
図１９に示すように、リードフレームのダイパッド部１０２上に半導体素子１０５が搭載され、その半導体素子１０５とリード部１０４のインナーリード部１０４ａとが金属細線１０６により電気的に接続されている。そしてダイパッド部１０２上の半導体素子１０５、インナーリード部１０４ａの外囲は封止樹脂１０７により封止されている。そしてそのリード部１０４（インナーリード部１０４ａ）の底面部分は封止樹脂１０７の底面からスタンドオフを有して露出して、外部端子１０８を構成している。なお、封止樹脂１０７の側面からはアウターリード部１０４ｂが露出しているが、実質的に封止樹脂１０７の側面と同一面である。
【０００９】
次に従来の樹脂封止型半導体装置の製造方法について説明する。
【００１０】
まず図２０に示すように、フレーム枠と、そのフレーム枠内に、半導体素子が載置される矩形状であって、アップセットされたダイパッド部１０２と、ダイパッド部１０２の角部をその先端部で支持し、端部がフレーム枠と接続した吊りリード部と、半導体素子を載置した場合、その載置した半導体素子と金属細線等の接続手段により電気的に接続するビーム状のリード部１０４とを有したリードフレームを用意する。
【００１１】
そして図２１に示すように、ダイパッド部１０２上に銀ペースト等の接着剤により半導体素子１０５を搭載しボンディングする。
【００１２】
次に図２２に示すように、ダイパッド部１０２上に搭載された半導体素子１０５の表面の電極パッド（図示せず）とリード部１０４のインナーリード部１０４ａとを金属細線１０６により電気的に接続する。
【００１３】
次に図２３に示すように、半導体素子１０５が搭載された状態のリードフレームの少なくともリード部１０４の底面に封止シート１０９を密着させる。この封止シート１０９はリード部１０４の底面に封止樹脂が回り込まないように保護し、リード部１０４の底面を露出させるための部材である。
【００１４】
次に図２４に示すように、リードフレームを金型内に載置し、金型によりリード部１０４を封止シート１０９に対して押圧した状態でエポキシ系樹脂よりなる封止樹脂１０７を注入し、リードフレームの外囲としてダイパッド部１０２、半導体素子１０５、リード部１０４の上面領域と金属細線１０６の接続領域を封止する。図２５には外囲を封止樹脂１０７で封止した状態を示している。
【００１５】
次に図２６に示すように、リードフレームのリード部１０４の底面に密着させていた封止シートをピールオフ等により除去する。
【００１６】
次に図２７に示すように、リード部１０４の切断部１１０に対して、金型による切断刃１１１でリードカットを行い、樹脂封止型半導体装置を分離する。
【００１７】
そして図２８に示すように、リードフレームのダイパッド部１０２上に半導体素子１０５が搭載され、その半導体素子１０５とリード部１０４のインナーリード部１０４ａとが金属細線１０６により電気的に接続され、外囲が封止樹脂１０７により封止され、そしてそのリード部１０４（インナーリード部１０４ａ）の底面部分は封止樹脂１０７の底面からスタンドオフを有して露出して、外部端子１０８を構成するとともに、封止樹脂１０７の側面からはアウターリード部１０４ｂが露出し、実質的に封止樹脂１０７の側面と同一面を構成した樹脂封止型半導体装置を得る。
【００１８】
【発明が解決しようとする課題】
しかしながら従来のリードフレームとそれを用いた樹脂封止型半導体装置の製造方法では、特にリードフレームに対して樹脂封止した後は、金型の切断刃によるリードカットを行っていたため、その切断工程において、リードカット時の衝撃によりリード部の隣接する封止樹脂の部分に樹脂カケ、クラック等が起こり、またリード部が封止樹脂部分から脱落するといった課題があった。従来の樹脂封止型半導体装置の構造は、リード部がその上面だけを封止樹脂で覆われたいわゆる片面封止構造であるため、金型の切断刃によるリードカットでは、その衝撃いかんによって、リード部、封止樹脂部の破損が発生しやすい状況であった。
【００１９】
さらに近年、大型のリードフレーム基板上に半導体素子を搭載し、金属細線で接続した後、外囲を全体で封止する一括成形が進んでいるが、この一括成形では、リードフレーム上面全体を封止樹脂が覆った構成の場合は、リードカットだけでなく、封止樹脂部もカットしなければならないため、金型の切断刃によるカット手段では対応できないという課題が顕在化してきている。
【００２０】
本発明は前記した従来の課題および今後の樹脂封止型半導体装置の製造工程の動向に対応できる樹脂封止型半導体装置の製造方法を提供するものであり、生産性を高め、リードフレーム、または基板から樹脂封止型半導体装置を分離する際の切断工程でリード部、封止樹脂部に欠陥、欠損の発生しない樹脂封止型半導体装置の製造方法を提供するものである。
【００２１】
【課題を解決するための手段】
前記従来の課題を解決するために、本発明の樹脂封止型半導体装置の製造方法は、金属板よりなるフレーム本体と、前記フレーム本体の略中央領域内に配設された半導体素子搭載用のダイパッド部と、先端部で前記ダイパッド部を支持し、他端部でフレーム枠と接続した吊りリード部と、少なくとも先端部が前記ダイパッド部に向かって延在し、他端部が前記フレーム枠と接続したリード部と、前記
リード部の前記フレーム枠と接続した領域近傍に設けられた切断部とよりなるリードフレームを用意する工程と、前記用意したリードフレームの前記ダイパッド部上に半導体素子を搭載する工程と、前記ダイパッド部上に搭載した前記半導体素子の主面上の電極パッドと、前記リードフレームのリード部の各上面とを金属細線により接続する工程と、前記リードフレームの上面側として前記半導体素子、ダイパッド部、金属細線、および前記リード部の底面と前記リード部のフレーム枠と接続した領域近傍に設けられた切断部を除く領域を封止樹脂により樹脂封止する工程と、前記封止樹脂で封止された封止領域の外周に沿った前記リードの切断部上面に対してブレードによる第１の切削を行い、前記切断部をフル切断して樹脂封止型半導体装置を分離し、さらに前記第１の切削の経路に対して逆方向にブレードにより第２の切削を行い、前記切断部を往復切削して前記切断部の端面に発生したカエリ部を除去する工程とよりなる樹脂封止型半導体装置の製造方法である。
【００２２】
また、半導体素子の主面上の電極パッドと、リードフレームのリード部の各上面とを金属細線により接続する工程と、封止樹脂により樹脂封止する工程との間に、前記リードフレームの裏面側の少なくともリード部の各底面に封止シートを密着させる工程が設けられている樹脂封止型半導体装置の製造方法である。
【００２３】
また、封止樹脂で封止された封止領域の外周に沿ったリードの切断部上面に対してブレードによる第１の切削を行い、切断部をフル切断し、さらに前記第１の切削の経路に対して逆方向にブレードにより第２の切削を行い、前記切断部を往復切削して前記切断部の端面に発生したカエリ部を除去する工程は、前記第１の切削の経路に対して順方向にブレードにより第２の切削を行い、前記切断部の端面に発生したカエリ部を除去する工程である樹脂封止型半導体装置の製造方法である。
【００２４】
前記構成の通り、本発明の樹脂封止型半導体装置の製造方法は、ブレードによるリードカットにより、生産性を高め、リードフレーム、基板から樹脂封止型半導体装置を分離する際の切断工程でリード部、封止樹脂部に欠陥、欠損の発生を防止できるものである。
【００２５】
さらに樹脂封止した後のリードフレームに対して、リード切断して樹脂封止型半導体装置を分離する際、第１の切削の経路に対して逆方向にブレードにより第２の切削を行い、切断部を往復切断したり、第１の切削の経路に対して順方向にブレードにより第２の切削を行い、切断部を切断することにより、リード部の切断部に対して第１の切削でリードカットを行い、リード部の切断した端面にカエリが発生しても、さらに第２の切削を行い、その第２の切削により、発生した縦カエリ部および横カエリ部を除去できるものである。すなわち第１の切削でリードカットの切削を行い、第２の切削でカエリ部を除去する切削を行うという１つの切断部に対して２回以上の切削を行うことにより、リードカットとともにカエリ部を除去できるものである。
【００２６】
【発明の実施の形態】
以下、本発明のリードフレームとそれを用いた樹脂封止型半導体装置の製造方法の一実施形態について図面を参照しながら説明する。
【００２７】
まず本実施形態のリードフレームについて説明する。
【００２８】
図１は本実施形態のリードフレームの一部分を示す図であり、図１（ａ）は平面図であり、図１（ｂ）は図１（ａ）のＣ−Ｃ１箇所の断面図である。
【００２９】
図１に示すように、本実施形態のリードフレームは、フレーム枠１と、そのフレーム枠１内に、半導体素子が載置される矩形状のダイパッド部２と、ダイパッド部２の角部をその先端部で支持し、端部がフレーム枠１と接続した吊りリード部３と、半導体素子を載置した場合、その載置した半導体素子と金属細線等の接続手段により電気的に接続するビーム状のリード部４とより構成されている。そしてリード部４は、封止樹脂で封止された際、封止樹脂部に埋設される部分はインナーリード部４ａを構成し、封止樹脂部より露出する部分はアウターリード部４ｂを構成するものであり、インナーリード部４ａとアウターリード部４ｂとは、一体で連続して設けられている。図１において、破線で示した領域は、半導体素子を搭載して樹脂封止型半導体装置を構成する場合、封止樹脂で封止する領域を示しており、また一点鎖線で示した部分は、半導体素子を搭載して樹脂封止し、樹脂封止型半導体装置を構成した後、リード部４（アウターリード部４ｂ）を切断する切断部５を示している。
【００３０】
また、本実施形態のリードフレームは、図１（ｂ）に示すように、ダイパッド部２は吊りリード部３によって支持されているが、その吊りリード部３に設けたディプレス部によってダイパッド部２がリード部４上面に対して上方に配置されるよう、アップセットされているものである。
【００３１】
なお、リードフレームは、図１に示した構成よりなるパターンが１つではなく、複数個、左右、上下に連続して配列されるものである。
【００３２】
次に本実施形態のリードフレームを用いた樹脂封止型半導体装置について説明する。図２は、図１に示したリードフレームを用いた樹脂封止型半導体装置を示す図であり、図２（ａ）は、内部構成を破線で示した透視平面図であり、図２（ｂ）は図２（ａ）のＤ−Ｄ１箇所の断面図である。
【００３３】
図２に示すように、リードフレームのダイパッド部２上に半導体素子６が搭載され、その半導体素子６とリード部４のインナーリード部４ａとが金属細線７により電気的に接続されている。そしてダイパッド部２上の半導体素子６、インナーリード部４ａの外囲は封止樹脂８により封止されている。そしてそのリード部４（インナーリード部４ａ）の底面部分は封止樹脂８の底面からスタンドオフを有して露出して、外部端子９を構成している。なお、封止樹脂８の側面からはアウターリード部４ｂが露出しているが、実質的に封止樹脂８の側面と同一面である。
【００３４】
次に本実施形態の樹脂封止型半導体装置の製造方法について説明する。
【００３５】
まず図３に示すように、フレーム枠と、そのフレーム枠内に、半導体素子が載置される矩形状であって、アップセットされたダイパッド部２と、ダイパッド部２の角部をその先端部で支持し、端部がフレーム枠と接続した吊りリード部と、半導体素子を載置した場合、その載置した半導体素子と金属細線等の接続手段により電気的に接続するビーム状のリード部４とを有したリードフレームを用意する。
【００３６】
そして図４に示すように、ダイパッド部２上に銀ペースト等の接着剤により半導体素子６を搭載しボンディングする。
【００３７】
次に図５に示すように、ダイパッド部２上に搭載された半導体素子６の表面の電極パッド（図示せず）とリード部４のインナーリード部４ａとを金属細線７により電気的に接続する。
【００３８】
次に図６に示すように、半導体素子６が搭載された状態のリードフレームの少なくともリード部４の底面に封止シート１０を密着させる。この封止シート１０はリード部４の底面に封止樹脂が回り込まないように保護し、リード部４の底面を露出させるための部材である。
【００３９】
次に図７に示すように、リードフレームを金型内に載置し、金型によりリード部４を封止シート１０に対して押圧した状態でエポキシ系樹脂よりなる封止樹脂８を注入し、リードフレームの外囲としてダイパッド部２、半導体素子６、リード部４の上面領域と金属細線７の接続領域を封止する。図８には外囲を封止樹脂８で封止した状態を示している。
【００４０】
次に図９に示すように、リードフレームのリード部４の底面に密着させていた封止シート１０をピールオフ等により除去する。
【００４１】
次に図１０に示すように、リード部４の切断箇所５に対して、回転ブレード１１でリードカットを行う。なお、ここで使用するブレード１１の幅は通常、ウェハーのダイシングで使用するブレードと同様な１００［μｍ］程度である。
【００４２】
そして図１１に示すように、リードフレームのダイパッド部２上に半導体素子６が搭載され、その半導体素子６とリード部４のインナーリード部４ａとが金属細線７により電気的に接続され、外囲が封止樹脂８により封止され、そしてそのリード部４（インナーリード部４ａ）の底面部分は封止樹脂８の底面からスタンドオフを有して露出して、外部端子９を構成するとともに、封止樹脂８の側面からはアウターリード部４ｂが露出し、実質的に封止樹脂８の側面と同一面を構成した樹脂封止型半導体装置を得るものである。
【００４３】
以上、本実施形態のリードフレームを用いて樹脂封止型半導体装置を製造する際、樹脂封止後のリードカット工程では、金型の切断刃に代えて、基板ダイシング等で用いるような回転ブレード１１で切削して切断することにより、切断されるリード部４（切断部５）に対しては、切断時の押圧力による衝撃が印加されず、リード部４、そのリード部４近傍の封止樹脂８に対するダメージを解消してリードカットすることができる。そのため、リード部、封止樹脂部に欠陥、欠損の発生をなくして信頼性の高い樹脂封止型半導体装置を得ることができる。
【００４４】
次に本実施形態の樹脂封止型半導体装置の製造方法で得られた樹脂封止型半導体装置に起こり得る別の課題について説明する。
【００４５】
図１２は本実施形態の樹脂封止型半導体装置の課題を示す断面図である。図１２に示す樹脂封止型半導体装置は、基本構成は前記した図２に示した樹脂封止型半導体装置と同様であるが、製造過程において、回転ブレードでリード部４の切断部５を切削してリードカットしているため、回転ブレードによる回転力とリード部４の素材である金属材料との関係により、切断したリード部４のアウターリード部４ｂの面に金属材によるカエリ部１２（金属バリ）が形成されてしまう。このカエリ部１２により、樹脂封止型半導体装置を基板実装する際、実装不良を誘発したり、ハンダ接合時のハンダブリッジを起こしたりする可能性があり、カエリ部１２が発生しないようリードカット、または発生したカエリ部１２を除去する必要性が生じている。なお、図１２では、カエリ部１２は、リード部４の底面側に示しているが、リード部４の側面側、およびリード部４の上面側にも発生する場合もある。
【００４６】
通常、カエリ部１２の発生要因としては、リード切断で用いる回転ブレードの切削によって、リード部４を構成している材料である金属材（例えばＣｕ材）がはね上げられ、金属材の一部が薄膜状に突出し、カエリ部１２として切断されたリード部４の端面に残留するものと考えられる。
【００４７】
以下、本発明の樹脂封止型半導体装置の製造方法について、主としてリード部４の側面側と底面側とに発生するカエリ部１２の除去、またはそれ自体の発生を防止する実施形態について、課題解決における実施形態として図面を参照しながら説明する。
【００４８】
図１３〜図１７は、樹脂封止型半導体装置の製造方法として、リードフレームのダイパッド部２上に半導体素子６を搭載し、リード部４と金属細線で電気的に接続し、外囲を封止樹脂８で封止した後のリードフレームから樹脂封止型半導体装置を分離する際のリードカット工程を示す断面図である。なお、それ以前の工程については、図３〜図９に示した工程と同等の工程である。
【００４９】
まず図１３に示すように、ダイパッド部２上に半導体素子６を搭載し、リード部４と金属細線で電気的に接続し、外囲を封止樹脂８で封止した後のリードフレームから樹脂封止型半導体装置を分離するリードカット工程では、リード部４の切断部５に対して、通常のダイシング工程で使用する回転ブレード１１により第１の切削を行うものである。
【００５０】
そして図１４に示すように、回転ブレード１１によって第１の切削では、リード部４の切断部に対してフルカットを行い、あえてカエリ部１２を発生させるものである。すなわち、リード部４のフルカットして切断したリードの端面部にカエリ部の発生の有無に構わず、生産性を高めたブレード切断の条件を設定できるものであり、ブレードの回転数、被切断物の送り速度を高めて、短時間でリード部４を切断するものである。
【００５１】
そして図１５に示すように、リード部４の切断部上面に対してブレードによる第１の切削を行い、切断部をフルカットして樹脂封止型半導体装置を分離した状態で、さらに第１の切削の経路に対して逆方向、つまり復路に対して回転ブレード１１により第２の切削を行い、リード部４の切断部を往復切削して切断部の端面に発生したカエリ部を除去するものである。
【００５２】
なお、この工程では、第１の切削の経路に対して順方向にブレードにより第２の切削を行い、切断部の端面に発生したカエリ部を除去してもよい。
【００５３】
そして図１６に示すように、リード部４を切断して、その切断した端面にはカエリ部の発生のない樹脂封止型半導体装置をリードフレームから分離できるものである。
【００５４】
図１７には、リードフレームのダイパッド部２上に半導体素子６が搭載され、その半導体素子６とリード部４のインナーリード部４ａとが金属細線７により電気的に接続され、外囲が封止樹脂８により封止され、そしてそのリード部４（インナーリード部４ａ）の底面部分は封止樹脂８の底面からスタンドオフを有して露出して、外部端子９を構成するとともに、封止樹脂８の側面からはアウターリード部４ｂが露出し、実質的に封止樹脂８の側面と同一面を構成した樹脂封止型半導体装置を示しており、リード部４の端面にはカエリ部の発生はない。
【００５５】
以上、本実施形態では、樹脂封止した後のリードフレームに対して、リード切断して樹脂封止型半導体装置を分離する際、リード部の切断部に対して、回転ブレードによってリード部をフルカットして第１の切削を行い、次いでその第１の切削した経路に対して同様に第２の切削を逆方向または順方向から行うことにより、リード部の切断した端面に発生したカエリ部を除去し、しかも生産性を高めて短時間でリードカットできるものである。
【００５６】
なお、切断時のブレードの回転数、被切断物の送り速度、ブレードのサイズ、ブレード材質等については、適宜、最適値を設定する。
【００５７】
さらに本実施形態では、フレーム枠内に１つのダイパッド部と、それに対向して配置された複数のリード部とにより構成されたユニットをその領域内に複数ユニット有したリードフレームに対して、各ユニットごとに樹脂封止してパッケージ部を構成し、各ユニット間に露出したリード部をその切断部で切断する例を示したが、本実施形態で示したように、リード部に対して徐々に切削を行い、またその切削をブレードの形状、幅、切断する面の方向を変えてリードカットを実施する手段によって、一括成形としてリードフレーム内の各ユニットを包括して全面樹脂封止し、各ユニット間のリード部の上面、すなわち各ユニット間のリード部の切断部に封止樹脂が形成された場合においても、同様な作用効果を奏するものである。
【００５８】
【発明の効果】
以上、本発明の樹脂封止型半導体装置の製造方法において、樹脂封止後のリードカット工程では、金型の切断刃に代えて、基板ダイシング等で用いるような回転ブレードで切削して切断することにより、切断されるリード部に対しては、切断時の押圧力による衝撃が印加されず、リード部、そのリード部近傍の封止樹脂に対するダメージを解消してリードカットすることができる。そのため、リード部、封止樹脂部に欠陥、欠損の発生をなくして信頼性の高い樹脂封止型半導体装置を得ることができる。
【００５９】
さらに樹脂封止した後のリードフレームに対して、リード切断して樹脂封止型半導体装置を分離する際、第１の切削の経路に対して逆方向にブレードにより第２の切削を行い、切断部を往復切断したり、第１の切削の経路に対して順方向にブレードにより第２の切削を行い、切断部を切断することにより、リード部の切断部に対して第１の切削でリードカットを行い、リード部の切断した端面にカエリが発生しても、さらに第２の切削を行い、その第１の切削により発生した縦カエリ部および横カエリ部を除去できるものである。すなわち第１の切削でリードカットの切削を行い、第２の切削でカエリ部を除去する切削を行うという１つの切断部に対して２回以上の切削を行うことにより、リードカットとともにカエリ部を除去できるものである。
【図面の簡単な説明】
【図１】本発明の一実施形態のリードフレームを示す図
【図２】本発明の一実施形態の樹脂封止型半導体装置を示す図
【図３】本発明の一実施形態の樹脂封止型半導体装置の製造方法を示す断面図
【図４】本発明の一実施形態の樹脂封止型半導体装置の製造方法を示す断面図
【図５】本発明の一実施形態の樹脂封止型半導体装置の製造方法を示す断面図
【図６】本発明の一実施形態の樹脂封止型半導体装置の製造方法を示す断面図
【図７】本発明の一実施形態の樹脂封止型半導体装置の製造方法を示す断面図
【図８】本発明の一実施形態の樹脂封止型半導体装置の製造方法を示す断面図
【図９】本発明の一実施形態の樹脂封止型半導体装置の製造方法を示す断面図
【図１０】本発明の一実施形態の樹脂封止型半導体装置の製造方法を示す断面図
【図１１】本発明の一実施形態の樹脂封止型半導体装置の製造方法を示す断面図
【図１２】本発明の一実施形態の樹脂封止型半導体装置の課題を示す断面図
【図１３】本発明の一実施形態の樹脂封止型半導体装置の製造方法を示す断面図
【図１４】本発明の一実施形態の樹脂封止型半導体装置の製造方法を示す断面図
【図１５】本発明の一実施形態の樹脂封止型半導体装置の製造方法を示す断面図
【図１６】本発明の一実施形態の樹脂封止型半導体装置の製造方法を示す断面図
【図１７】本発明の一実施形態の樹脂封止型半導体装置の製造方法を示す断面図
【図１８】従来のリードフレームを示す図
【図１９】従来の樹脂封止型半導体装置を示す図
【図２０】従来の樹脂封止型半導体装置の製造方法を示す断面図
【図２１】従来の樹脂封止型半導体装置の製造方法を示す断面図
【図２２】従来の樹脂封止型半導体装置の製造方法を示す断面図
【図２３】従来の樹脂封止型半導体装置の製造方法を示す断面図
【図２４】従来の樹脂封止型半導体装置の製造方法を示す断面図
【図２５】従来の樹脂封止型半導体装置の製造方法を示す断面図
【図２６】従来の樹脂封止型半導体装置の製造方法を示す断面図
【図２７】従来の樹脂封止型半導体装置の製造方法を示す断面図
【図２８】従来の樹脂封止型半導体装置の製造方法を示す断面図
【符号の説明】
１  フレーム枠
２  ダイパッド部
３  吊りリード部
４  リード部
５  切断部
６  半導体素子
７  金属細線
８  封止樹脂
９  外部端子
１０  封止シート
１１  回転ブレード
１２  カエリ部
１０１  フレーム枠
１０２  ダイパッド部
１０３  吊りリード部
１０４  リード部
１０５  半導体素子
１０６  金属細線
１０７  封止樹脂
１０８  外部端子
１０９  封止シート
１１０  切断部
１１１  切断刃
【図１】
0004362902.tif 000002
【図２】
0004362902.tif 000003
【図３】
0004362902.tif 000004
【図４】
0004362902.tif 000005
【図５】
0004362902.tif 000006
【図６】
0004362902.tif 000007
【図７】
0004362902.tif 000008
【図８】
0004362902.tif 000009
【図９】
0004362902.tif 000010
【図１０】
0004362902.tif 000011
【図１１】
0004362902.tif 000012
【図１２】
0004362902.tif 000013
【図１３】
0004362902.tif 000014
【図１４】
0004362902.tif 000015
【図１５】
0004362902.tif 000016
【図１６】
0004362902.tif 000017
【図１７】
0004362902.tif 000018
【図１８】
0004362902.tif 000019
【図１９】
0004362902.tif 000020
【図２０】
0004362902.tif 000021
【図２１】
0004362902.tif 000022
【図２２】
0004362902.tif 000023
【図２３】
0004362902.tif 000024
【図２４】
0004362902.tif 000025
【図２５】
0004362902.tif 000026
【図２６】
0004362902.tif 000027
【図２７】
0004362902.tif 000028
【図２８】
0004362902.tif 000029